(57)【要約】【課題】ベランダの壁面等に取付けた場合でも、アンテナ方向調整角を大幅に増大でき、受信率を飛躍的に増加し得るアンテナ装置を提供する。【解決手段】略四角形の面状に形成したアンテナ本体２１Ａに対し、指向性最大方向から９０°方向の側部例えば両側部及び下側部に金具取付け部２６ａ、…を設ける。この金具取付け部２６ａ、…は、マスト取付け金具４０を容易に着脱できる構成となっている。そして、アンテナ本体２１Ａに対し、受信偏波（水平偏波、垂直偏波）及び電波到来方向に応じて金具取付け部２６ａ、…を選択してマスト取付け金具４０を取付け、更にベランダの壁面１４に取付けられたベランダ金具１５のマスト１７に取付ける。上記のようにアンテナ本体２１Ａの指向性最大方向から９０°の位置に金具取付け部２６ａ、…を設けてマスト取付け金具４０を取付けることにより、略１８０°の範囲で指向性最大方向の調整が可能となる。【選択図】      図２
2008118353.tif 000002
【特許請求の範囲】
【請求項１】
面状に形成され、略正面方向に指向性最大方向を有するアンテナ本体と、前記アンテナ本体の指向性最大方向から略９０°方向に位置する側部に設けられる取付け金具とを具備することを特徴とするアンテナ装置。
【請求項２】
面状に形成され、略正面方向に指向性最大方向を有するアンテナ本体と、前記アンテナ本体の指向性最大方向から略９０°方向に位置する少なくとも２つの交差する側部に設けられる金具取付け部と、前記金具取付け部に着脱可能に設けられるマスト取付け金具とを具備することを特徴とするアンテナ装置。
【請求項３】
面状に形成され、略正面方向に指向性最大方向を有するアンテナ本体と、前記アンテナ本体の指向性最大方向から略９０°方向に位置する少なくとも２つの交差する側部にそれぞれ設けられる金具取付け部とを具備し、
前記金具取付け部は、マスト取付け金具及び室内用スタンドを着脱可能に構成したことを特徴とする室外アンテナ及び室内アンテナ兼用のアンテナ装置。
【発明の詳細な説明】
【技術分野】
【０００１】
本発明は、例えば地上デジタル放送を受信するアンテナ装置に関する。
【背景技術】
【０００２】
従来、ＴＶ放送としては地上アナログＴＶ放送（ＶＨＦ、ＵＨＦ）や衛星放送（ＣＳ／ＢＳ）が行なわれているが、更に近年では地上デジタル放送（ＴＶ放送）が開始されている。地上デジタル放送は、ＵＨＦ帯の高い周波数帯域（４７０〜７７０ＭＨｚ）が使用されているので、アンテナを小型化することができる。このため一般家庭においては、アンテナをベランダ等に取付けて地上デジタルＴＶ放送を受信している。
【０００３】
従来の地上デジタル放送受信用の単一指向性アンテナは、指向性方向と逆側、すなわち背面側に取付け金具を設けている（例えば、特許文献１参照。）。
【０００４】
図１５は、従来の地上デジタル放送受信用アンテナ１０における取付け金具の装着状態を示す背面斜視図である。図１５において、１１はアンテナ本体で、箱状の本体カバー１２内に放射素子（図示せず）を収納している。上記アンテナ本体１１の背面側（指向性方向と逆側）の略中央部にマスト取付け金具１３が設けられる。
【０００５】
そして、上記アンテナ１０を例えばベランダの壁面１４に取付ける場合には、先ず、ベランダの壁面１４にベランダ金具１５をボルト等により取付ける。上記ベランダ金具１５は、壁面取付け部１６及び略Ｊ字状に形成されたアンテナ取付け用のマスト１７からなり、このマスト１７に上記アンテナ１０のマスト取付け金具１３を取付け、ボルト等を締め付けて固定する。上記マスト取付け金具１３は、例えば固定用のボルトを緩めることにより、マスト１７を中心として左右に回動でき、アンテナの指向性方向を調整できるようになっている。
【０００６】
上記アンテナ１０の正面方向の矢印ａは指向性最大方向を示し、側方の矢印ｂは指向性の調整範囲を示している。
【特許文献１】意匠登録第１２３５６７４号公報
【発明の開示】
【発明が解決しようとする課題】
【０００７】
上記従来のアンテナ１０は、マスト取付け金具１３のボルト等を緩めることによって矢印ｂで示す範囲で指向性方向を調整することができる。しかし、従来のアンテナ１０は、アンテナ本体１１の背面の略中央部にマスト取付け金具１３を設けているので、指向性方向の調整に際し、アンテナ本体１１を左右に回動させると、左右の側部がベランダの壁面１４に当接し、指向性最大方向を電波到来方向に調整しきれない場合があった。このためアンテナ利得が最大で受信することができず、受信不能となる恐れがあった。
【０００８】
また、上記従来のアンテナ１０は、アンテナ本体１１の下側に室内用スタンドを取付けて室内アンテナとした場合、アンテナ本体１１の背面にマスト取付け金具１３が取付けられたままとなるので、美観上問題となっている。この場合、マスト取付け金具１３部分をカバー部材で覆って美観を保つことも考えられるが、カバー部材によりアンテナが大きくなると共に費用が掛かるという問題も生じる。
【０００９】
本発明は上記の課題を解決するためになされたもので、ベランダの壁面等に取付けた場合でも、アンテナ方向調整角を大幅に増大できると共に受信率を飛躍的に増加でき、また、水平偏波と垂直偏波の切替えを容易に行なうことができるアンテナ装置を提供することを目的とする。
【００１０】
また、本発明は、水平偏波、垂直偏波ともに美観を損なうことなく簡単に屋外、屋内共用とすることができるアンテナ装置を提供することを目的とする。
【課題を解決するための手段】
【００１１】
第１の発明に係るアンテナ装置は、面状に形成され、略正面方向に指向性最大方向を有するアンテナ本体と、前記アンテナ本体の指向性最大方向から略９０°方向に位置する側部に設けられる取付け金具とを具備することを特徴とする。
【００１２】
第２の発明に係るアンテナ装置は、面状に形成され、略正面方向に指向性最大方向を有するアンテナ本体と、前記アンテナ本体の指向性最大方向から略９０°方向に位置する少なくとも２つの交差する側部に設けられる金具取付け部と、前記金具取付け部に着脱可能に設けられるマスト取付け金具とを具備することを特徴とする。
【００１３】
第３の発明に係るアンテナ装置は、面状に形成され、略正面方向に指向性最大方向を有するアンテナ本体と、前記アンテナ本体の指向性最大方向から略９０°方向に位置する少なくとも２つの交差する側部にそれぞれ設けられる金具取付け部とを具備し、前記金具取付け部は、マスト取付け金具及び室内用スタンドを着脱可能とし、室外アンテナ及び室内アンテナ兼用としたことを特徴とする。
【発明の効果】
【００１４】
本発明によれば、アンテナ本体の指向性最大方向から略９０°方向に位置する側部に取付け金具を設けることにより、ベランダの壁面等に取付けた場合でも、アンテナ方向調整角を大幅に増大でき、受信率を飛躍的に増加することができる。
【００１５】
また、アンテナ本体の指向性最大方向から略９０°方向に位置する少なくとも２つの交差する側部に金具取付け部を設け、前記金具取付け部を選択してマスト取付け金具を取付けることにより、水平偏波受信及び垂直偏波受信の何れにも容易に対応することができる。
【００１６】
また、アンテナ本体の指向性最大方向から略９０°方向に位置する少なくとも２つの交差する側部にそれぞれ金具取付け部を設け、前記金具取付け部は、マスト取付け金具及び室内用スタンドを着脱可能に構成することにより、水平偏波、垂直偏波ともにデザイン上損なうことなく簡単に屋外アンテナ、屋内アンテナ共用とすることができる。
【発明を実施するための最良の形態】
【００１７】
以下、図面を参照して本発明の実施形態を説明する。
【００１８】
（第１実施形態）
図１は本発明の第１実施形態に係るＵＨＦ帯受信用アンテナ装置のアンテナ本体部分の構成を示し、（ａ）は正面図、（ｂ）は左側面図、（ｃ）は右側面図、（ｄ）は下側面図である。図２はアンテナ本体にマスト取付け金具を取付けて室外アンテナを構成した場合の斜視図、図３はマスト取付け金具の取付け構造を説明するための分解斜視図、図４はアンテナ本体の内部構成例を示す一部断面図である。
【００１９】
図１及び図２において、２１はアンテナ本体で、放射素子部２２及び反射板部２３により構成され、放射素子部２２と反射板部２３間に両者を結合する結合部２４が設けられる。放射素子部２２は合成樹脂製の本体カバー２５ａ内に放射素子が設けられ、反射板部２３には合成樹脂製の本体カバー２５ｂ内に反射板が設けられる。上記放射素子部２２及び反射板部２３は、例えば正面側の形状が長方形に形成される。また、放射素子部２２及び反射板部２３は、図２に示すように上部から見た場合、例えば相対向する中央部が高くなるように山形状に形成される。上記放射素子部２２及び反射板部２３の内部構成については詳細を後述する。
【００２０】
上記結合部２４は、合成樹脂部材により箱状に形成され、放射素子部２２と反射板部２３間を所定の間隔に保持する。上記結合部２４は、放射素子部２２と反射板部２３の中間において分割されており、放射素子部２２と反射板部２３とを分離できるようになっている。また、結合部２４は、左右の両側部及び下側部は、反射板部２３及び反射板部２３の側縁から一定距離例えば２０〜３０ｍｍ程度低く形成され、上部は更にその数倍程度低く形成される。なお、結合部２４の上部の高さは、両側部及び下側部と同じ値に設定しても良い。
【００２１】
また、結合部２４には、両側部及び下側部に図２及び図３に示すようにマスト取付け金具４０あるいは室内用スタンドを着脱自在に取付けるための金具取付け部２６ａ、２６ｂ、２６ｃが設けられる。この金具取付け部２６ａ、２６ｂ、２６ｃは、マスト取付け金具４０あるいは室内用スタンドを固定するための２つのボルト穴２７ａ、２７ｂをそれぞれ備えている。
【００２２】
また、反射板部２３には、例えば放射素子部２２に対向する下側左隅にアンテナ出力接栓２８が設けられる。放射素子部２２には、アンテナ出力接栓２８に対向する下側隅部に例えば円弧状の切欠き２９が設けられる。この切欠き２９は、アンテナ出力接栓２８に外部の給電用同軸ケーブルを接続する際に放射素子部２２の下側が邪魔にならないように設けられる。
【００２３】
次に上記マスト取付け金具４０の詳細及びその取付け構造について図３を参照して説明する。図３はマスト取付け金具４０の詳細を示すと共に、放射素子部２２を取り外し、反射板部２３を内側から見た分解斜視図である。
【００２４】
反射板部２３側の結合部２４の内側には、例えば８角形の隔壁３１が設けられる。この隔壁３１の内側は、本体カバー２５ｂが開放されており、後述する反射板６１が見える状態なっている。放射素子部２２側の結合部２４にも同様の隔壁が設けられる。また、結合部２４の内側の４隅近傍には、隔壁３１との間にネジ止め用ボス３２ａ〜３２ｄが設けられる。このネジ止め用ボス３２ａ〜３２ｄは、放射素子部２２を固定するためのもので、上部にネジ穴が設けられている。
【００２５】
上記金具取付け部２６ａ、２６ｂ、２６ｃは、結合部２４の側壁を挟むように２重構造となっており、ボルト穴２７ａ、２７ｂに対応する内側位置に金具固定用ボルト受け３３ａ、３３ｂが設けられる。
【００２６】
そして、上記金具取付け部２６ａ、２６ｂ、２６ｃに選択的に取付けられるマスト取付け金具４０は、マスト取付け金具本体４１とマストバンド４２を備えている。  
上記マスト取付け金具本体４１には、上下方向に所定の間隔で、すなわち金具取付け部２６ａ、２６ｂ、２６ｃに設けられたボルト穴２７ａ、２７ｂに対応するようにボルト保持部４３ａ、４３ｂが設けられる。このボルト保持部４３ａ、４３ｂは、放射素子部２２と反射板部２３との間に挿入できる大きさに設定される。上記ボルト保持部４３ａ、４３ｂには、外部からマスト取付け金具固定用ボルト４４ａ、４４ｂが挿入され、その先端部が金具取付け部２６ａ、２６ｂ、２６ｃのボルト穴２７ａ、２７ｂに螺着されるようになっている。
【００２７】
また、マスト取付け金具本体４１の左右の両側部には、保持板４５ａ、４５ｂが設けられる。この保持板４５ａ、４５ｂは、マスト取付け金具４０を金具取付け部２６ａ、２６ｂ、２６ｃに取付けた際、放射素子部２２及び反射板部２３の外側に当接してマスト取付け金具本体４１を安定した状態に保持する。
【００２８】
また、マスト取付け金具本体４１には、中央部の両側近傍、すなわち、保持板４５ａ、４５ｂより内側位置にボルト挿通用の穴（図示せず）が設けられ、ボルト挿通用の穴内に内側からコの字状ボルト４６が挿入され、その先端が更にマストバンド４２に設けられたボルト挿通穴４７ａ、４７ｂ内に挿入される。そして、マストバンド４２のボルト挿通穴４７ａ、４７ｂから外側に導出されたコの字状ボルト４６の先端に蝶ナット４８ａ、４８ｂが螺着される。
【００２９】
上記マストバンド４２には、上部及び下部の側板にマスト取付け金具本体４１に対向する側の中央部に凹部４９が設けられる。この凹部４９には、マストを確実に保持するための凹凸が複数形成される。また、マスト取付け金具本体４１には、マストバンド４２に対向する側の上部及び下部側板の中央部にマストを保持するための凹部５０が設けられる。上記マスト取付け金具本体４１の凹部５０とマストバンド４２の凹部４９の間にマストを介在させ、蝶ナット４８ａ、４８ｂにより締め付けることでマストを保持する。
【００３０】
上記マスト取付け金具４０は、アンテナ本体２１Ａを水平偏波受信用として使用する場合、アンテナ本体２１Ａの側部に設けた金具取付け部２６ａまたは金具取付け部２６ｂに装着し、アンテナ本体２１Ａを垂直偏波受信用として使用する場合、アンテナ本体２１Ａの下側に設けた金具取付け部２６ｃに装着する。例えば図２、図３に示したようにアンテナ装置の側部に設けた金具取付け部２６ａにマスト取付け金具４０を装着する場合には、マスト取付け金具４０のボルト保持部４３ａ、４３ｂの前端を金具取付け部２６ｂに対応して位置させ、マスト取付け金具固定用ボルト４４ａ、４４ｂをボルト保持部４３ａ、４３ｂ内に挿入し、その先端を金具取付け部２６ｂのボルト穴２７ａ、２７ｂに螺入して固定する。
【００３１】
次に、アンテナ本体２１Ａの放射素子部２２及び反射板部２３の内部構成例について、図４を参照して説明する。  
図４において、５１は放射素子部２２内に設けられる放射素子で、この放射素子５１の背面に所定の間隔例えば約０．１３５λ（λは使用周波数における波長）を保って反射板６１が対向配置される。上記放射素子５１は、板状の導電部材により形成した２つのループ状素子５２ａ、５２ｂが同一平面内において上下方向に所定の間隔を保って配置され、結合線路５３により結合されて略Ｚ字状に形成される。２つのループ状素子５２ａ、５２ｂは、上下方向の両外側部に形成した所定幅の直線状素子５４と該直線状素子５４の両端部を略９０°折曲げて形成した所定幅の側部素子５５からなり、左右対称に形成される。ループ状素子５２ａは、コの字を反時計周りに９０°回転させた形状となっており、ループ状素子５２ｂは、コの字を時計周りに９０°回転させた形状となっている。
【００３２】
上記結合線路５３は、各ループ状素子５２ａ、５２ｂの側部素子５５の端部を９０°より小さい所定の角度例えば約４０°折曲げた形状になっており、略Ｘ字状に形成されると共に、中央部の上下方向に溝５６が設けられる。また、結合線路５３には、溝５６の中央部に給電用凸部５７ａ、５７ｂが形成され、この給電用凸部５７ａ、５７ｂに給電点５８ａ、５８ｂが設けられる。本実施の形態では、上記結合線路５３の幅は、側部素子５５から溝５６にかけて次第に大きくなっている。
【００３３】
また、ループ状素子５２ｂからなる下側放射素子の外形は、ループ状素子５２ａからなる上側放射素子の外形を上下対称としたものである。
【００３４】
また、上側放射素子の内形は、直線状素子５４の下部の横幅が給電点部の溝５６の横幅よりも大きく、給電点部又はその近傍から直線状素子５４の方向に次第に大きくなる構造となっている。図４では、溝５６の上端から側部素子５５に向かって次第に大きくなる構造としている。即ち、上側放射素子の内形は、直線状素子５４の下部を上辺とし、側部素子５５の内側を側辺とし、結合線路部の内側を内側方向に傾斜する斜辺とし、その下に縦方向の溝５６が連なる略漏斗状の形状をしている。下側放射素子の内形は上側放射素子の内形を上下対称としたものである。
【００３５】
上記のように形成された放射素子５１は、上下方向の全長が約０．８λ、ループ状素子５２ａ、５２ｂを構成する直線状素子５４の長さが約０．５λに設定される。また、ループ状素子５２ａ、５２ｂは、直線状素子５４の素子幅が約０．０８λ、側部素子５５の素子幅が約０．１λに設定される。更に、結合線路５３における溝５６の左右の中央部素子幅が約０．０５λに設定される。
【００３６】
また、反射板部２３に設けられる反射板６１は、金属板を例えば方形状に形成したもので、全長は約０．８５λ、全幅は約０．６λに設定、すなわち、放射素子５１の全長（約０．８λ）、全幅（約０．５λ）よりも少し大きく設定している。
【００３７】
そして、上記放射素子５１の給電点５８ａ、５８ｂと反射板部２３に設けられるアンテナ出力接栓２８との間は、給電ケーブル６２により接続される。この場合、給電ケーブル６２は、反射板６１上の左側下部に保持部材６３ａ、６３ｂにより保持されて下端部がアンテナ出力接栓２８に接続され、上端部が結合部２４の隔壁３１内側の開口部より放射素子部２２に導入されて放射素子５１の給電点５８ａ、５８ｂに接続される。
【００３８】
上記アンテナ本体２１Ａは、図４に示すようにループ状素子５２ａ、５２ｂが上下に配置されている状態では水平偏波を受信し、図４に示す状態から同一面内で時計方向あるいは反時計方向に９０°回転させた状態では垂直偏波を受信する。
【００３９】
なお、アンテナ本体２１Ａは、図４に示した構成に限定されるものではなく、その他の構成であっても良いことは勿論である。
【００４０】
次に、上記アンテナ本体２１Ａを例えばベランダの壁面に装着し、指向性最大方向が電波到来方向に一致するように調整する場合について説明する。
【００４１】
先ず、図５に示すようにベランダの壁面１４にベランダ金具１５をネジ止め等により取付ける。上記ベランダ金具１５は、上記したように壁面取付け部１６及び略Ｊ字状に形成されたアンテナ取付け用のマスト１７により構成されている。
【００４２】
アンテナ本体２１Ａを水平偏波受信用として使用する場合、図２、図３、図５に示すようにアンテナ本体２１Ａの側部、すなわち指向性最大方向（矢印ａで示す正面方向）から９０°の位置に設けた金具取付け部２６ａまたは金具取付け部２６ｂにマスト取付け金具４０を装着する。図２、図３、図５ではアンテナ本体２１Ａの正面から見て右側に設けられた金具取付け部２６ｂにマスト取付け金具４０を取付けた場合を示している。
【００４３】
そして、上記アンテナ本体２１Ａに装着したマスト取付け金具４０のマスト取付け金具本体４１及びマストバンド４２の部分を図５に示したようにベランダ金具１５のマスト１７に取付け、蝶ナット４８ａ、４８ｂを締め付けて固定する。この場合、蝶ナット４８ａ、４８ｂを緩めることにより、マスト１７を中心としてアンテナ本体２１Ａ及びマスト取付け金具４０を水平方向に回動でき、矢印ａで示す指向性最大方向を調整することができる。
【００４４】
上記のようにアンテナ本体２１Ａに対して指向性最大方向から９０°の位置にマスト取付け金具４０を装着しているので、アンテナ本体２１Ａをベランダの壁面１４の平行となる位置まで回動することができ、非常に広い角度で指向性方向を調整することができる。アンテナ本体２１Ａの右側の金具取付け部２６ｂにマスト取付け金具４０を装着した場合には、指向性最大方向は図５（ａ）に示すようにベランダの壁面１４に垂直となる方向から図５（ｂ）に示すように反時計方向に略９０°回転させた範囲、すなわちベランダの壁面１４に対して右方向に平行となる範囲まで調整可能である。上記図５（ａ）、（ｂ）の場合とは逆の方向に指向性を調整する場合は、図６（ａ）、（ｂ）に示すようにアンテナ本体２１Ａの左側の金具取付け部２６ａにマスト取付け金具４０を装着する。この場合においても、図５（ａ）、（ｂ）の場合と同様にマスト取付け金具４０の装着角度を調整することにより、略９０°の範囲で指向性方向を調整することができる。
【００４５】
上記のようにアンテナ本体２１Ａの左右の両側部に設けた金具取付け部２６ａ、２６ｂに対してマスト取付け金具４０を着脱可能とすることにより、アンテナ本体２１Ａの指向性最大方向を略１８０°の範囲で調整可能となり、指向性最大方向を電波の到来方向に確実に合わせることができる。このためアンテナ利得が最大で受信できるようになり、受信率を飛躍的に増加することができる。
【００４６】
なお、上記図５、図６の説明では、アンテナ本体２１Ａの両側部に設けた金具取付け部２６ａ、２６ｂに対してマスト取付け金具４０を付け替えた場合について示したが、金具取付け部２６ａ、２６ｂの一方のみを使用し、上下を入れ替えるようにしても略１８０°の範囲で指向正方向を調整することが可能である。
【００４７】
また、上記アンテナ本体２１Ａにて垂直偏波を受信する場合には、図７（ａ）、（ｂ）に示すようにアンテナ本体２１Ａの下側に設けた金具取付け部２６ｃにマスト取付け金具４０を装着し、ベランダ金具１５に取付けて指向性方向を調整する。この場合の指向性方向の調整範囲は、水平偏波の場合と同様に略９０°であるが、この範囲で指向性方向を調整しきれない場合は、図８（ａ）、（ｂ）に示すようにアンテナ本体２１Ａの上下を入れ替えて金具取付け部２６ｃにマスト取付け金具４０を装着し、ベランダ金具１５に取付けて指向性方向を調整する。
【００４８】
上記図７、図８に示したようにアンテナ本体２１Ａの上下を入れ替えてマスト取付け金具４０を装着することにより、指向性方向を略１８０°の範囲で調整することが可能となり、指向性最大方向を電波の到来方向に確実に合わせることができる。
【００４９】
（第２実施形態）
次に本発明の第２実施形態に係るアンテナ装置について説明する。  
この第２実施形態は、図９に示すように第１実施形態で示したアンテナ本体２１Ａに対し、マスト取付け金具４０に代えて室内用スタンド７０を取付けることにより、室内アンテナを構成したものである。
【００５０】
図９は第２実施形態に係る室内アンテナのスタンド取付け構造及び室内用スタンド７０の詳細を示すもので、アンテナ本体２１Ａの放射素子部２２を取り外し、反射板部２３を内側から見た分解斜視図である。なお、上記アンテナ本体２１Ａは、第１実施形態で示したものと同じ構造であるので、同一部分には同一符号を付して詳細な説明は省略する。
【００５１】
図９において、金具取付け部２６ａ、２６ｂ、２６ｃは、マスト取付け金具４０と室内用スタンド７０の取付け部を兼ねており、第１実施形態に示したものと同じ構成である。  
上記室内用スタンド７０は、例えば合成樹脂により台形状に形成されたスタンド基台７１と、このスタンド基台７１の上部中央に設けられるアンテナ取付け部７２から構成される。このアンテナ取付け部７２の幅は、放射素子部２２と反射板部２３との間に挿入できる値に設定される。上記アンテナ取付け部７２には、金具取付け部２６ａ、２６ｂ、２６ｃに設けられているボルト穴２７ａ、２７ｂに対応する位置にボルト挿通孔７３ａ、７３ｂが形成され、このボルト挿通孔７３ａ、７３ｂにスタンド底面からスタンド固定用ボルト７４ａ、７４ｂが挿入される。上記ボルト挿通孔７３ａ、７３ｂに挿入されたスタンド固定用ボルト７４ａ、７４ｂは、先端がボルト挿通孔７３ａ、７３ｂから所定長さ突出し、金具取付け部２６ａ、２６ｂ、２６ｃに設けられたボルト穴２７ａ、２７ｂに螺着できるようになっている。
【００５２】
上記室内アンテナは、水平偏波受信用として使用する場合は、アンテナ本体２１Ａの下側に設けられた金具取付け部２６ｃに室内用スタンド７０を取付け、垂直偏波受信用として使用する場合は、アンテナ本体２１Ａの左右両側に設けられた金具取付け部２６ａ、２６ｂに室内用スタンド７０を取付けて使用する。
【００５３】
図１０は、アンテナ本体２１Ａの下側に設けられた金具取付け部２６ｃに室内用スタンド７０を取付け、水平偏波受信用の室内アンテナとした場合の斜視図である。
【００５４】
図１１は、アンテナ本体２１Ａの左側部に設けられた金具取付け部２６ａに室内用スタンド７０を取付け、垂直偏波受信用の室内アンテナとした場合の斜視図である。
【００５５】
上記のようにアンテナ本体２１Ａに対し、マスト取付け金具４０に代えて室内用スタンド７０を取付けることにより、簡単に室内アンテナとすることができる。
【００５６】
また、アンテナ本体２１Ａの側部に金具取付け部２６ａ、２６ｂ、２６ｃを設けてマスト取付け金具４０と室内用スタンド７０とを交換可能とすることで、デザイン上の背面を生じさせない構造となっており、水平偏波・垂直偏波ともにデザイン上の美観を損なうことなく簡単に屋内、屋外共用とすることができる。
【００５７】
また、室内アンテナにおいては、半値幅７０°程度の単一指向性アンテナを使用することで、デザイン上の正面を例えば図１２（ａ）、（ｂ）に示すように室内８０に設置されたテレビ受像機８２などに合わせた場合でも、デザイン上の正面が全面にあるため、設置場所にもよるが最低２通りの設置方法、すなわち室内アンテナの面をテレビ受像機８２と垂直となる位置ａまたは平行となる位置ｂに設置することが可能で、最大利得約６ｄＢ、最低利得−２ｄＢの合成指向性を有したアンテナと同等となる。
【００５８】
上記図１２（ａ）は室内環境を示したもので、窓８１が設けられた室内８０に薄型のテレビ受像機８２が設置されている状態を示している。なお、図１２（ａ）は、室内８０を上から見た図を示している。また、テレビ受像機８２は、テレビ台８３上に設置されている。また、図１２（ｂ）は室内アンテナの設置位置に対する指向性Ａ、Ｂを示したものである。なお、図１２（ｂ）に破線Ｃで示す特性は、従来の無指向性アンテナのデザイン上の正面をテレビ受像機８２に合わせて平行に設置した場合の指向性を示している。
【００５９】
上記図１２からも明らかなように本実施形態に係る室内アンテナは、デザイン上の正面をテレビ受像機８２に合わせた場合でも、従来のアンテナ指向性を無指向性とし、デザイン上の正面が常に視聴者方向を向くようにしたアンテナに比較し、受信率を飛躍的に向上することができる。
【００６０】
なお、上記第１及び第２実施形態では、アンテナ本体２１Ａの３つの側面に金具取付け部２６ａ、２６ｂ、２６ｃを設けた場合について示したが、アンテナ本体２１Ａの全側面に金具取付け部を設けても良い。また、アンテナ本体２１Ａの交差する２側面、すなわち隣接する２側面に金具取付け部を設けて、マスト取付け金具４０と室内用スタンド７０とを交換可能に構成しても、水平偏波、垂直偏波ともにデザイン上の美観を損なうことなく、屋外・屋内共用アンテナとすることができる。
【００６１】
（第３実施形態）
次に本発明の第３実施形態に係るアンテナ装置について説明する。
【００６２】
図１３は本発明の第３実施形態に係るアンテナ装置（室外アンテナ）の構成を示す分解斜視図である。上記第１実施形態に係るアンテナ装置は、放射素子部２２及び反射板部２３にそれぞれ本体カバー２５ａ、２５ｂを設けてアンテナ本体２１Ａを構成したが、この第３実施形態に係るアンテナ装置は、図１３に示すように放射素子及び反射板を１つの本体カバー９０内に収納してアンテナ本体２１Ｂを構成している。本体カバー９０内に収納される放射素子及び反射板は、第１実施形態に示したものと同様の構成であるので、詳細な説明は省略する。アンテナ本体２１Ｂを図１３に示すように保持した場合は、水平偏波の電波を受信する。
【００６３】
上記本体カバー９０は、例えば箱状に形成され、上下及び左右の側面に金具取付け部９１ａ〜９１ｄが設けられる。各金具取付け部９１ａ〜９１ｄには、それぞれ複数例えば４つのボルト穴９２が設けられる。上記金具取付け部９１ａ〜９１ｄは、マスト取付け金具９３、カバー部材９４、あるいは室内用スタンドが取付可能となっている。
【００６４】
上記マスト取付け金具９３は、金具取付け部９１ａ〜９１ｄに選択的に取付けられるもので、２つの取付け部材９３ａ、９３ｂからなり、それぞれ金具取付け部９１ａ〜９１ｄのボルト穴９２に対応させて４つのボルト挿通孔９５が設けられ、この各ボルト挿通孔９５内に外側から固定用ボルト９６がそれぞれ挿入される。このボルト挿通孔９５内に挿入された固定用ボルト９６は、先端がボルト挿通孔９５から所定長さ突出し、例えば金具取付け部９１ａのボルト穴９２に螺着される。また、上記取付け部材９３ａ、９３ｂには、相対向する内側が半円状に形成され、この半円状部分においてベランダ金具１５のマスト１７を保持するようになっている。上記凹部９７には、マスト１７を確実に保持するための凹凸が複数形成される。
【００６５】
また、マスト取付け金具９３を取付けてない他の金具取付け部例えば９１ｂ〜９１ｃには長方形状のカバー部材９４が取付けられる。このカバー部材９４としては、本体カバー９０の左右の側面に対応するものと、上下の側面に対応するものと２種類用意される。上記カバー部材９４には、金具取付け部９１ａ〜９１ｄのボルト穴９２に対応する位置に４つのボルト挿通孔１００が設けられ、このボルト挿通孔１００内に固定用ボルト９６が挿入される。このボルト挿通孔１００内に挿入された固定用ボルト９６は、先端がボルト挿通孔１００から所定長さ突出し、例えば金具取付け部９１ｂ〜９１ｄのボルト穴９２に螺着される。
【００６６】
次に上記アンテナ本体２１Ｂをベランダの壁面に装着し、指向性方向を調整する場合について説明する。
【００６７】
先ず、図１３に示すようにベランダの壁面１４にベランダ金具１５をネジ止め等により取付ける。アンテナ本体２１Ｂを水平偏波受信用として使用する場合、本体カバー９０の側方、すなわちアンテナ本体２１Ｂの指向性最大方向（矢印ａで示す正面方向）から９０°の位置に設けた金具取付け部９１ａ、９１ｂにマスト取付け金具９３を装着する。図１３では本体カバー９０の左側に設けられた金具取付け部９１ａにマスト取付け金具４０を取付けた場合を示している。
【００６８】
そして、上記アンテナ本体２１Ｂに装着したマスト取付け金具９３の取付け部材９３ａ、９３ｂの部分をベランダ金具１５のマスト１７に取付け、固定用ボルト９６を締め付けて固定する。この場合、固定用ボルト９６を緩めることにより、マスト１７を中心としてアンテナ本体２１Ｂをマスト取付け金具９３と共に水平方向に回動でき、矢印ａで示す指向性最大方向を調整することができる。
【００６９】
上記のようにアンテナ本体２１Ｂの指向性最大方向から９０°の位置にマスト取付け金具９３を装着することにより、第１実施形態の場合と同様にアンテナ本体２１Ｂをベランダの壁面１４の平行となる位置まで回動することができ、略９０°の範囲で指向性方向を調整することができる。また、上記の場合とは逆の方向に指向性を調整する場合は、アンテナ本体２１Ｂの右側の金具取付け部９１ｂにマスト取付け金具９３を装着する。この場合においても、上記の場合と同様にマスト１７に対するマスト取付け金具９３の装着位置を調整することにより、略９０°の範囲で指向性方向を調整することができる。
【００７０】
この結果、アンテナ本体２１Ｂの指向性最大方向を略１８０°の範囲で調整可能となり、指向性最大方向を電波の到来方向に確実に合わせることができる。このためアンテナ利得が最大で受信できるようになり、受信率を飛躍的に増加することができる。
【００７１】
なお、金具取付け部９１ａ、９１ｂの一方のみを使用し、上下を入れ替えるようにしても略１８０°の範囲で指向正方向を調整することが可能である。
【００７２】
また、上記アンテナ本体２１Ｂを垂直偏波受信用アンテナとして使用する場合には、金具取付け部９１ａ、９１ｂと隣接して設けられた金具取付け部９１ｃ、あるいは金具取付け部９１ｄにマスト取付け金具９３を装着し、ベランダ金具１５に取付ける。すなわち、アンテナ本体２１Ｂを水平偏波受信時の状態から同一面内で９０°回転させた状態として使用する。この場合の指向性方向の調整範囲は、水平偏波受信時の場合と同様に略１８０°であり、指向性最大方向を電波の到来方向に確実に合わせることができる。
【００７３】
（第４実施形態）
次に本発明の第４実施形態に係るアンテナ装置について説明する。  
この第４実施形態は、図１４に示すように第３実施形態で示したアンテナ本体２１Ｂの本体カバー９０に対し、マスト取付け金具９３に代わりに室内用スタンド１１１を取付けて室内アンテナを構成したものである。
【００７４】
図１４は、本体カバー９０に設けられた金具取付け部９１ｃあるいは金具取付け部９１ｄに室内用スタンド１１１を取付けて、水平偏波受信用の室内アンテナを構成した場合の斜視図である。
【００７５】
また、上記金具取付け部９１ｃ、９１ｄと隣接する側面に設けられた金具取付け部９１ａ、あるいは金具取付け部９１ｂに室内用スタンド１１１を取付けることにより、垂直偏波受信用の室内アンテナを構成することができる。
【００７６】
上記第４実施形態に示した室内アンテナにおいても、第２実施形態に示した室内アンテナと同様の効果を得ることができる。
【００７７】
なお、本発明は、上記実施形態そのままに限定されるものではなく、実施段階ではその要旨を逸脱しない範囲で構成要素を変形して具体化できるものである。
【図面の簡単な説明】
【００７８】
【図１】本発明の第１実施形態に係るアンテナ装置の構成を示し、（ａ）は正面図、（ｂ）は左側面図、（ｃ）は右側面図、（ｄ）は下側面図である。
【図２】同実施形態におけるアンテナ本体へのマスト取付け金具の取付けを説明するための斜視図である。
【図３】同実施形態におけるマスト取付け金具の取付け構造を説明するための要部の分解斜視図である。
【図４】同実施形態に係るアンテナ装置の内部構成例を示す一部断面図である。
【図５】同実施形態に係るアンテナ装置において、水平偏波受信時における指向性の調整操作を説明するための斜視図である。
【図６】同実施形態に係るアンテナ装置において、水平偏波受信時における指向性の他の調整操作例を説明するための斜視図である。
【図７】同実施形態に係るアンテナ装置において、垂直偏波受信時における指向性の調整操作を説明するための斜視図である。
【図８】同実施形態に係るアンテナ装置において、垂直偏波受信時における指向性の他の調整操作例を説明するための斜視図である。
【図９】本発明の第２実施形態に係る室内アンテナのスタンド取付け構造及び室内用スタンドの詳細を示す要部の分解斜視図である。
【図１０】同実施形態における室内アンテナ（水平偏波受信時）の外観構成を示す斜視図である。
【図１１】同実施形態における室内アンテナ（垂直偏波受信時）の外観構成を示す斜視図である。
【図１２】（ａ）は同実施形態における室内アンテナを室内に設置した場合の室内環境を示す図、（ｂ）は室内アンテナの設置位置と指向性の関係を示す図である。
【図１３】本発明の第３実施形態に係るアンテナ装置の構成を示す分解斜視図である。
【図１４】本発明の第４実施形態に係る室内アンテナを示す斜視図である。
【図１５】従来のアンテナ装置における取付け金具の装着状態を示す背面斜視図である。
【符号の説明】
【００７９】
１４…壁面、１５…ベランダ金具、１７…マスト、２１Ａ、２１Ｂ…アンテナ本体、２２…放射素子部、２３…反射板部、２４…結合部、２５ａ、２５ｂ…本体カバー、２７ａ、２７ｂ…ボルト穴、２８…アンテナ出力接栓、３１…隔壁、３２ａ〜３２ｄ…ネジ止め用ボス、３３ａ、３３ｂ…金具固定用ボルト受け、４０…マスト取付け金具、４１…マスト取付け金具本体、４２…マストバンド、４３ａ、４３ｂ…ボルト保持部、４４ａ、４４ｂ…金具固定用ボルト、４５ａ、４５ｂ…保持板、４６…コの字状ボルト、４７ａ、４７ｂ…ボルト挿通穴、４８ａ、４８ｂ…蝶ナット、４９、５０…凹部、５１…放射素子、５２ａ、５２ｂ…ループ状素子、５３…結合線路、５４…直線状素子、５５…側部素子、５６…溝、５７ａ、５７ｂ…給電用凸部、５８ａ、５８ｂ…給電点、６１…反射板、６２…給電ケーブル、６３ａ、６３ｂ…保持部材、７０…室内用スタンド、７１…スタンド基台、７３ａ、７３ｂ…ボルト挿通孔、７４ａ、７４ｂ…スタンド固定用ボルト、８０…室内、８１…窓、８２…テレビ受像機、８３…テレビ台、９０…本体カバー、９２…ボルト穴、９３…金具、９３ａ、９３ｂ…部材、９４…カバー部材、９５…ボルト挿通孔、９６…固定用ボルト、９７…凹部、１００…ボルト挿通孔、１１１…室内用スタンド
【図１】
2008118353.tif 000003
【図２】
2008118353.tif 000004
【図３】
2008118353.tif 000005
【図４】
2008118353.tif 000006
【図５】
2008118353.tif 000007
【図６】
2008118353.tif 000008
【図７】
2008118353.tif 000009
【図８】
2008118353.tif 000010
【図９】
2008118353.tif 000011
【図１０】
2008118353.tif 000012
【図１１】
2008118353.tif 000013
【図１２】
2008118353.tif 000014
【図１３】
2008118353.tif 000015
【図１４】
2008118353.tif 000016
【図１５】
2008118353.tif 000017